(57)【要約】【課題】防水装置の止水性能の低下を抑制することができる防水装置の設置方法を提供する。【解決手段】構造物１の開口部２を開閉する開閉体７，８を閉状態に維持する手順と、開口部を閉塞するように開閉体に対して防水シート２１を設置するシート設置手順と、を含む。上記の維持する手順において、開閉体の開閉用の電源をオフすることで開閉体を閉状態に維持するようにしてもよい。電源の再投入の禁止を表示する手順が実行されてもよい。【選択図】図５
2015040383.tif 000002
【特許請求の範囲】
【請求項１】
構造物の開口部を開閉する開閉体を閉状態に維持する手順と、
前記開口部を閉塞するように前記開閉体に対して防水シートを設置するシート設置手順と、
を含むことを特徴とする防水装置の設置方法。
【請求項２】
前記維持する手順において、前記開閉体の開閉用の電源をオフにすることで前記開閉体を閉状態に維持する
請求項１に記載の防水装置の設置方法。
【請求項３】
前記維持する手順において、
物体を感知するセンサを無効にすることで前記開閉体を閉状態に維持する
請求項１に記載の防水装置の設置方法。
【請求項４】
前記維持する手順において、
ユーザーによる前記開閉体を開く操作入力を無効にすることで前記開閉体を閉状態に維持する
請求項１に記載の防水装置の設置方法。
【請求項５】
前記維持する手順において、
前記開閉体の移動を機械的にロックすることで前記開閉体を閉状態に維持する
請求項１から４のいずれか１項に記載の防水装置の設置方法。
【請求項６】
更に、前記電源の再投入の禁止を表示する手順を含む
請求項２に記載の防水装置の設置方法。
【請求項７】
更に、前記センサを有効にすることの禁止を表示する手順を含む
請求項３に記載の防水装置の設置方法。
【請求項８】
更に、前記操作入力を有効にすることの禁止を表示する手順を含む
請求項４に記載の防水装置の設置方法。
【請求項９】
更に、前記ロックを解除することの禁止を表示する手順を含む
請求項５に記載の防水装置の設置方法。
【発明の詳細な説明】
【技術分野】
【０００１】
本発明は、防水装置の設置方法に関する。
【背景技術】
【０００２】
従来、開閉体によって開閉される開口部からの浸水を抑制する技術が提案されている。例えば、特許文献１には、シャッタの裏面には屈曲自在な防水シートが設けられていると共に、防水シートと対向するようにしてガイド部材にはシール部材が設けられ、シャッタに浸水しようとする氾濫水等の水圧がシャッタの表面に作用すると、防水シートがシール材に圧接されるようになっている、浸水防止機能を備えたシャッタ装置の技術が開示されている。
【先行技術文献】
【特許文献】
【０００３】
【特許文献１】特許第４４５９７４０号公報
【発明の概要】
【発明が解決しようとする課題】
【０００４】
開口部からの浸水を抑制することについて、なお改良の余地がある。例えば、防水装置によって開口部を閉塞する場合に、開口部を開閉する開閉体が自動で開閉するものである場合、防水装置の設置中や設置後に開閉体が開いてしまうと、防水装置の止水性能が低下してしまう可能性がある。
【０００５】
本発明の目的は、防水装置の止水性能の低下を抑制することができる防水装置の設置方法を提供することである。
【課題を解決するための手段】
【０００６】
本発明の防水装置の設置方法は、構造物の開口部を開閉する開閉体を閉状態に維持する手順と、前記開口部を閉塞するように前記開閉体に対して防水シートを設置するシート設置手順と、を含むことを特徴とする。
【０００７】
上記防水装置の設置方法では、開閉体を閉状態に維持し、防水装置の止水性能の低下を抑制することができる。
【０００８】
上記防水装置の設置方法において、前記維持する手順において、前記開閉体の開閉用の電源をオフにすることで前記開閉体を閉状態に維持することが好ましい。
【０００９】
上記防水装置の設置方法では、開閉体を閉状態に維持し、防水装置の止水性能の低下を抑制することができる。
【００１０】
上記防水装置の設置方法において、前記維持する手順において、物体を感知するセンサを無効にすることで前記開閉体を閉状態に維持することが好ましい。
【００１１】
上記防水装置の設置方法では、開閉体を閉状態に維持し、防水装置の止水性能の低下を抑制することができる。
【００１２】
上記防水装置の設置方法において、前記維持する手順において、ユーザーによる前記開閉体を開く操作入力を無効にすることで前記開閉体を閉状態に維持することが好ましい。
【００１３】
上記防水装置の設置方法では、開閉体を閉状態に維持し、防水装置の止水性能の低下を抑制することができる。
【００１４】
上記防水装置の設置方法において、前記維持する手順において、前記開閉体の移動を機械的にロックすることで前記開閉体を閉状態に維持することが好ましい。
【００１５】
上記防水装置の設置方法では、開閉体を閉状態に維持し、防水装置の止水性能の低下を抑制することができる。
【００１６】
上記防水装置の設置方法において、更に、前記電源の再投入の禁止を表示する手順を含むことが好ましい。
【００１７】
上記防水装置の設置方法では、電源の再投入を禁止し、開閉体の開扉を抑制することができる。
【００１８】
上記防水装置の設置方法において、更に、前記センサを有効にすることの禁止を表示する手順を含むことが好ましい。
【００１９】
上記防水装置の設置方法では、センサの有効化を禁止し、開閉体の開扉を抑制することができる。
【００２０】
上記防水装置の設置方法において、更に、前記操作入力を有効にすることの禁止を表示する手順を含むことが好ましい。
【００２１】
上記防水装置の設置方法では、開閉体を開く操作入力の有効化を禁止し、開閉体の開扉を抑制することができる。
【００２２】
上記防水装置の設置方法において、更に、前記ロックを解除することの禁止を表示する手順を含むことが好ましい。
【００２３】
上記防水装置の設置方法では、ロックの解除を禁止し、開閉体の開扉を抑制することができる。
【発明の効果】
【００２４】
本発明に係る防水装置の設置方法は、構造物の開口部を開閉する開閉体を閉状態に維持する手順と、開口部を閉塞するように開閉体に対して防水シートを設置するシート設置手順と、を含む。本発明に係る防水装置の設置方法によれば、防水装置の止水性能の低下を抑制することができる。
【図面の簡単な説明】
【００２５】
【図１】図１は、実施形態に係る構造物を示す図である。
【図２】図２は、実施形態に係る自動ドアのブロック図である。
【図３】図３は、実施形態に係る防水装置を示す図である。
【図４】図４は、実施形態に係る保持部材の説明図である。
【図５】図５は、実施形態に係るシート設置手順の説明図である。
【図６】図６は、保持部材によって保持される防水シートを示す図である。
【図７】図７は、実施形態の第１変形例に係るカバー部材を示す図である。
【発明を実施するための形態】
【００２６】
以下に、本発明の実施形態に係る防水装置の設置方法につき図面を参照しつつ詳細に説明する。なお、この実施形態によりこの発明が限定されるものではない。また、下記の実施形態における構成要素には、当業者が容易に想定できるものあるいは実質的に同一のものが含まれる。
【００２７】
［実施形態］
図１から図６を参照して、実施形態について説明する。本実施形態は、防水装置の設置方法に関する。図１は、本発明の実施形態に係る構造物を示す図、図２は、実施形態に係る自動ドアのブロック図、図３は、実施形態に係る防水装置を示す図、図４は、実施形態に係る保持部材の説明図、図５は、実施形態に係るシート設置手順の説明図、図６は、保持部材によって保持される防水シートを示す図である。
【００２８】
図１に示すように、構造物１は、開口部２を有する。開口部２は、構造物１の屋内側と屋外側とを連通するものである。図１には、屋外側から見た構造物１の正面図が示されている。開口部２の幅方向の両端部には、それぞれ柱部材３が設けられている。柱部材３は、構造物１の床面４から梁部材５まで鉛直方向に延在している。本実施形態の開口部２は、一対の柱部材３と、床面４と、柱部材５とによって囲まれている。
【００２９】
屋内側、屋外側とは説明上分かりやすくするための便宜上の表現であって、屋外側とは、水が浸入する場合の上流側のことであり、屋内側とは、上流側から水が浸入する可能性がある側であり、本発明においては水が浸入してくるのを阻止や抑制したい側のことである。開閉扉や壁等とともに開口部の防水装置１−１を、例えば単なる道路の防水用仕切りとして使用したり、外部空間における門等の箇所に取り付ける等のように、家屋や部屋等の概念がない箇所に設けても良い。また、開口部２は、前述の屋外側と屋内側とを連通するものとすることができる。本実施形態の開口部２は、構造物１の外殻をなす壁部に形成されており、壁部３貫通して構造物１の屋外と屋内とを連通している。なお、これに限らず、開口部２は、構造物１の内部を仕切る壁部に形成されたものであってもよい。
【００３０】
なお、本明細書でいう床面４とは、説明上分かりやすくするための便宜上の表現であって、通常の床面４のみならず、コンクリート面や地面等の開口部２の下方に位置する面を総称する。
【００３１】
開閉体７，８は、開口部２を自動的に開閉する。ここで、「開閉体７，８が自動的に開閉する」とは、人の力によらずにモータ等の駆動源の駆動力によって開閉体７，８が開閉方向（幅方向）に移動して開口部２を開閉することを示す。
【００３２】
本実施形態の開閉体７，８は、スライド式の自動ドア６の構成要素である。自動ドア６は、第一開閉体７と、第二開閉体８と、駆動部９と、感知センサ１０とを含んで構成されている。第一開閉体７および第二開閉体８は、それぞれ開口部２の幅方向に移動することで開口部２を開閉する。床面４には、第一開閉体７および第二開閉体８を幅方向にガイドするガイドレールが設けられている。駆動部９は、第一開閉体７および第二開閉体８を駆動する。駆動部９は、例えば、駆動源としてのモータと、第一開閉体７および第二開閉体８と接続されたベルトとを有している。駆動部９は、モータの回転によってベルトを幅方向に移動させることにより、第一開閉体７および第二開閉体８を幅方向に移動させる。
【００３３】
駆動部９は、開閉体７，８を開く場合、モータを駆動して、第一開閉体７および第二開閉体８を互いに離間する方向に移動させる。これにより、図１に示すように、第一開閉体７は図１の左方向に移動し、第二開閉体８は図１の右方向に移動する。一方、駆動部９は、開閉体７，８を閉じる場合、モータを駆動して、開閉体７，８を開く場合とは反対方向に第一開閉体７および第二開閉体８を移動させる。
【００３４】
図２に示すように、自動ドア６は、制御部１１および電源部１２を有する。電源部１２は、商用電源等の電力源から供給される電力を駆動部９および制御部１１に供給する。つまり電源部１２は、開閉体７，８の開閉用の電源を供給する。制御部１１は、感知センサ１０と接続されており、感知センサ１０の検出結果を示す信号を受信する。また、制御部１１は、駆動部９と電気的に接続されており、駆動部９の動作を制御する。感知センサ１０は、第一開閉体７および第二開閉体８の近傍の感知領域にある通行者等の物体を感知するセンサである。制御部１１は、感知センサ１０によって物体が感知されると、駆動部９に対して第一開閉体７および第二開閉体８を開く開扉指令を出力する。また、制御部１１は、感知センサ１０によって物体が感知されなくなってから所定時間が経過すると、駆動部９に対して第一開閉体７および第二開閉体８を閉じる閉扉指令を出力する。駆動部９は、開閉体７，８の全閉状態および全開状態を判定すると、自動的に停止する。
【００３５】
次に、本実施形態に係る防水装置１−１について説明する。防水装置１−１は、図３に示すように、防水シート２１と、押圧部材２２と、表示板２３とを含んで構成されている。防水シート２１、押圧部材２２および表示板２３は、収納袋２４に収納されて保管されている。
【００３６】
防水シート２１は、遮水性を有している。防水シート２１は、例えば、可撓性を有しており、好ましくは伸縮可能である。防水シート２１の素材は、例えば、樹脂、ゴム、上面を樹脂などでコーティングした布等とすることができる。本実施形態の防水シート２１は、透光性を有する樹脂製のシートである。
【００３７】
押圧部材２２は、防水シート２１の上に載置されて防水シート２１を床面４に向けて押圧する部材である。本実施形態に係る押圧部材２２は、平板状の部材であり、例えば、ステンレススチール等の金属材料で構成されている。防水装置１−１は、複数の押圧部材２２を含んで構成されている。
【００３８】
表示板２３は、所定の作業を禁止する旨を表示するものである。本実施形態の表示板２３には、防水装置１−１が設置されている間の自動ドア６の電源の再投入を禁止する旨のメッセージが記載されている。
【００３９】
また、防水装置１−１は、図１に示す保持部材２５を含んで構成されている。保持部材２５は、防水シート２１の端部を保持する部材である。保持部材２５の素材は、例えば、アルミ等の金属や、樹脂等とすることができる。図４に示すように、保持部材２５は、断面形状が略Ｊ字形状の部材である。保持部材２５は、本体部２５ａと、保持部２５ｂとを有する。本体部２５ａは、平板状の部分である。本体部２５ａは、凹部２５ｃを有する。凹部２５ｃは、本体部２５ａにおける表面２５ｄに形成されている。保持部材２５は、本体部２５ａの裏面２５ｅを柱部材３に向けて柱部材３に対して固定される。保持部材２５は、ビス等の固定部材２６（図６参照）が本体部２５ａを貫通して柱部材３にねじ込まれることにより、柱部材３に固定される。凹部２５ｃは、固定部材２６のねじ込みが開始される位置であり、固定部材２６の先端を案内する。また、固定部材２６の頭部は、凹部２５ｃに入り込む。従って、固定部材２６の頭部が表面２５ｄから突出することが抑制される。
【００４０】
保持部２５ｂは、断面形状が略Ｃ字形状の部分である。保持部２５ｂは、本体部２５ａの幅方向の一端に設けられている。保持部２５ｂの先端２５ｆは、本体部２５ａと対向している。つまり、保持部材２５が柱部材３に取り付けられた状態で、先端２５ｆは、柱部材３を向いている。凹部２５ｃは、本体部２５ａにおける先端２５ｆと対向する位置２５ｇよりも、保持部２５ｂから離れた位置に配置されている。言い換えると、凹部２５ｃは、図４に示すＡ方向から正面視した場合に、保持部２５ｂと重ならず、保持部２５ｂよりも本体部２５ａの先端２５ｈ寄りに設けられている。凹部２５ｃは、上記対向する位置２５ｇと、本体部２５ａの先端２５ｈとの中間部に設けられている。
【００４１】
保持部２５ｂの先端２５ｆの断面形状は、半円形である。先端２５ｆの断面形状が滑らかな曲線形状であることにより、先端２５ｆが防水シート２１にダメージを与えることが抑制される。また、本体部２５ａの先端２５ｈの断面形状は、滑らかな曲線形状である。これにより、先端２５ｈが防水シート２１にダメージを与えることが抑制される。先端２５ｈは、厚さ方向の表面２５ｄ側から裏面２５ｅへ向かうに従い幅方向に突出するテーパ形状となっている。
【００４２】
本実施形態に係る防水装置の設置方法について説明する。本実施形態の防水装置の設置方法は、開閉体７，８を閉状態に維持する手順（以下、単に「維持する手順」と称する。）と、シート設置手順とを含んで構成されている。
【００４３】
（シート設置手順）
まず、シート設置手順について説明する。シート設置手順は、開口部２を閉塞するように開閉体７，８に対して防水シート２１を設置する手順である。シート設置手順において、ユーザーは、図５に示すように、防水シート２１の両端を保持部材２５によって保持させる。保持部材２５は、柱部材３の前面、すなわち、屋外側を向く面に対して固定されている。保持部材２５は、柱部材３の下端から、上方へ向けて所定の範囲に設けられている。
【００４４】
（シートの一端を保持させる手順）
ユーザーは、防水シート２１を設置する場合、まず、防水シート２１の一端を保持部材２５に保持させる。図６に示すように、防水シート２１の端部には、それぞれビード２７が配置されている。ビード２７は、直線状の棒状部材である。ビード２７は、防水シート２１における幅方向の両端に１本ずつ固定されている。ビード２７は、防水シート２１の縁を直線状に保持しておくことができる剛性を有している。防水シート２１の縁において、ビード２７が設けられる範囲は、一端が防水シート２１の上端であり、他端が防水シート２１の下端よりも所定距離だけ上側の位置である。つまり、防水シート２１において、ビード２７の下端よりも下側の部分は、容易に屈曲することができる。
【００４５】
ユーザーは、保持部材２５の保持部２５ｂの中空部２５ｉにビード２７を挿入する。ユーザーは、防水シート２１を持ち上げて、保持部２５ｂの上端側からビード２７を中空部２５ｉに挿入する。保持部２５ｂの内径は、ビード２７の外径よりも若干大きい。また、保持部２５ｂの先端２５ｆと、本体部２５ａとの隙間の幅は、ビード２７の直径よりも小さい。従って、保持部２５ｂは、ビード２７が中空部２５ｉに挿入されると、ビード２７を保持し、ビード２７を介して防水シート２１の端部を保持する。ユーザーは、ビード２７の下端が床面４に接するまで、中空部２５ｉにビード２７を押し込む。そうすることで、防水シート２１の下端側の領域は、床面４の上に広げられて、床面４を覆う。
【００４６】
本実施形態の保持部材２５では、保持部２５ｂは、最も開閉体７，８から離れた位置に配置されている。これにより、以下に説明するように、保持部材２５は防水シート２１に高い止水性能を発揮させることができる。保持部２５ｂが幅方向において開閉体７，８に近い場合、ビード２７と柱部材３の角３ａとの幅方向の距離が小さくなる。この幅方向の距離が小さいと、ビード２７から開閉体７，８に向かう防水シート２１と幅方向とのなす角度θが大きくなる。その結果、防水シート２１の浮き上がりが発生しやすくなる。例えば、柱部材３の角３ａや角３ａの近傍において防水シート２１と柱部材３との間に隙間が生じて、その隙間から水の浸入を許容してしまう可能性がある。
【００４７】
本実施形態の保持部材２５では、ビード２７から柱部材３の角３ａまでの幅方向の距離を大きくすることができる。よって、角３ａや角３ａの近傍等において防水シート２１と柱部材３との間に隙間が生じることが抑制される。また、保持部２５ｂよりも開閉体７，８側に本体部２５ａが位置していることから、防水シート２１が本体部２５ａに接触しやすい。言い換えると、防水シート２１と本体部２５ａとの接触面積を大きくして、防水シート２１と本体部２５ａとによる止水性能を高めることができる。防水シート２１と本体部２５ａとの接触部、および防水シート２１と柱部材３との接触部のそれぞれにおいて止水ラインが形成され、当該止水ラインにおいて屋内側への水の浸入が抑制される。
【００４８】
本実施形態の保持部材２５は、幅が狭い柱部材３に対しても設置可能である。柱部材３は、固定部材２６によって本体部２５ａを固定できるだけの幅を有していればよい。保持部２５ｂは、柱部材３に対して開閉体７，８側と反対側に突出していても、かまわない。保持部２５ｂは、柱部材３に接触していなくても、ビード２７を保持する機能を発揮できていればよい。
【００４９】
（シートの他端を保持させる手順）
ユーザーは、幅方向の一方側の保持部材２５によって防水シート２１の一端を保持させると、幅方向の他端側の保持部材２５によって防水シート２１の他端を保持させる。これにより、図５に示すように、防水シート２１は、その両端が構造物１によって保持されて、開口部２の下端側の領域を閉塞する。
【００５０】
（上側の辺を開閉体に固定する手順）
本実施形態に係る防水シート２１には、複数の吸盤２８が取り付けられている。吸盤２８は、防水シート２１の上側の辺に沿って等間隔で配置されている。ユーザーは、吸盤２８を開閉体７，８に吸着させることにより、防水シート２１の上側の辺を開閉体７，８に固定する。防水シート２１の上側の辺が開閉体７，８に固定されることにより、防水シート２１の垂れ下がり等が抑制される。また、防水シート２１を開閉体７，８に密着させておくことが容易となり、防水シート２１が開閉体７，８から浮き上がることが抑制される。
【００５１】
保持部材２５によって両端が保持された防水シート２１は、開閉体７，８と、柱部材３と、床面４とを一体に覆う。従って、防水シート２１は、開閉体７，８と柱部材３との隙間や開閉体７，８と床面４との隙間を閉塞し、これらの隙間を介した屋内側への水の浸入を抑制する。
【００５２】
（載置手順）
載置手順は、押圧部材２２を防水シート２１における床面４を覆う部分の上に載置する手順である。載置手順は、シート設置手順よりも後に実行される。載置された押圧部材２２が防水シート２１を床面４に向けて押圧することで、防水シート２１が床面４から浮き上がることや、防水シート２１がずれてしまうことが抑制される。
【００５３】
ここで、シート設置手順の実行中や、シート設置手順の実行後に開閉体７，８が開いてしまうことは好ましくない。例えば、感知センサ１０が防水シート２１の設置作業を行うユーザーを検知して開閉体７，８が開閉してしまうと、防水装置１−１の設置作業に支障がある。また、防水装置１−１の設置後に開閉体７，８が開いてしまうと、防水装置１−１による止水効果が低下し、屋内側へ水が侵入してしまう可能性がある。
【００５４】
これに対して、本実施形態の防水装置の設置方法では、以下に説明する維持する手順が実行される。維持する手順が実行されることで、開閉体７，８が閉状態に維持され、開閉体７，８が開いてしまうことが規制される。よって、本実施形態に係る防水装置の設置方法によれば、防水装置１−１の止水性能を適切に発揮させることができる。
【００５５】
（維持する手順）
維持する手順では、ユーザーは、第一開閉体７および第二開閉体８を閉状態に維持する作業を実行する。具体的には、ユーザーは、自動ドア６の電源をオフにすることで開閉体７，８を閉状態に維持する。ユーザーは、電源部１２のスイッチ（電源スイッチ）をオフにすることにより、少なくとも駆動部９に対する電力の供給を停止する。電源スイッチのオフは、第一開閉体７および第二開閉体８が閉じた状態で実行されることが好ましいが、これに限定されるものではない。例えば、ユーザーは、電源スイッチをオフにしてから手動により第一開閉体７および第二開閉体８を閉じて、閉状態にしてもよい。第一開閉体７および第二開閉体８の閉状態では、開閉体７，８が全閉状態であることが望ましい。
【００５６】
維持する手順は、例えば、シート設置手順よりも前に実行されることが好ましい。維持する手順が実行されることにより、防水装置１−１の設置作業中や設置作業後に開閉体７，８が開いてしまうことが規制される。よって、防水装置１−１の設置作業を円滑に行うことが可能となる。また、開閉体７，８の開扉が規制されることにより、防水装置１−１の止水性能の低下が抑制される。
【００５７】
（表示手順）
表示手順は、電源の再投入の禁止を表示する手順である。表示手順は、例えば、維持する手順の実行後に行われることが好ましいが、維持する手順の前に実行されても、その他のタイミングで実行されてもよい。ユーザーは、表示手順において、表示板２３を適当な箇所に設置して、「防水装置１−１を取り外すときまで自動ドア６の電源を再投入してはならない」旨を表示する。表示板２３を設置する箇所は、例えば、電源部１２や電源部１２の近傍の見やすい位置とすることが好ましい。表示板２３は、電源部１２の電源スイッチを隠すように配置されてもよい。例えば、表示板２３を取り除かない限り電源部１２の電源投入ができないようにしておけば、誤って電源が再投入されることを抑制する効果が高い。
【００５８】
維持する手順が実行された後は、少なくとも防水装置１−１による防水が必要なくなるまで、開閉体７，８の閉状態が維持されることが望ましい。例えば、ユーザーは、設置された防水装置１−１の取り外し手順を開始するまで自動ドア６の電源をオフに保つことが好ましい。あるいは、ユーザーは、設置された防水装置１−１の取り外し手順を完了するまで自動ドア６の電源をオフに保つようにしてもよい。
【００５９】
［実施形態の第１変形例］
実施形態の第１変形例について説明する。上記実施形態では、維持する手順において、開閉体７，８の開閉用の電源がオフされることで開閉体７，８が閉状態に維持された。これに代えて、あるいはこれに加えて、維持する手順において、感知センサ１０を無効にすることで開閉体７，８を閉状態に維持するようにしてもよい。図７は、実施形態の第１変形例に係るカバー部材を示す図である。
【００６０】
感知センサ１０を無効にする方法としては、感知センサ１０が物体を感知することを規制する方法、感知センサ１０が物体を感知しても、その感知に係る情報を無効にする方法、感知センサ１０の動作を停止させる方法などが挙げられる。例えば、感知センサ１０が赤外線等の光の反射により物体を検知するセンサである場合、図７に示すように、感知センサ１０（例えば、投光部１０ａや受光部１０ｂ）をカバー部材１３によって覆うことにより、感知センサ１０が物体を感知することを規制できる。カバー部材１３は、例えば、検知領域に物体が存在しない場合と同様の反射光を受光部に受光させることができるものである。カバー部材１３によって感知センサ１０がカバーされることにより、感知センサ１０は、検知領域に物体が存在していても物体を感知しなくなる。よって、開閉体７，８が閉状態に維持される。
【００６１】
また、自動ドア６が感知センサ１０の感知結果を無効にする機能を備えている場合、当該機能を有効にすることで開閉体７，８を閉状態に維持するようにしてもよい。感知センサ１０が物体を感知しても制御部１１が開閉体７，８を開かないように設定することができれば、開閉体７，８を閉状態に維持することができる。
【００６２】
また、感知センサ１０の動作を停止させることで開閉体７，８を閉状態に維持することも可能である。例えば、自動ドア６が感知センサ１０の動作を停止させる機能を備えている場合、当該機能を有効にすることで開閉体７，８の閉状態を維持することが可能である。
【００６３】
維持する手順において、感知センサ１０を無効にすることで開閉体７，８を閉状態に維持する場合、表示手順において、感知センサ１０を有効にすることの禁止を表示することが望ましい。例えば、「防水装置を取り外すときまで感知センサ１０を有効にしてはならない」旨を記載した表示板２３を表示するようにしてもよい。感知センサ１０をカバー部材１３によって覆う場合、カバー部材１３に、防水装置を取り外すときまでカバー部材１３を取り外してはならない」旨を表示するようにしてもよい。感知センサ１０の感知結果を無効にする場合、感知結果の無効と有効とを切り替える操作をする部分、例えば切替スイッチに、表示板２３を表示するようにすればよい。感知センサ１０の動作を停止させる場合、動作を停止させる操作をする部分、例えば切替スイッチに、表示板２３を表示するようにすればよい。
【００６４】
［実施形態の第２変形例］
実施形態の第２変形例について説明する。維持する手順において、ユーザーによる開閉体７，８を開く操作入力を無効にすることで開閉体７，８を閉状態に維持するようにしてもよい。例えば、自動ドア６が、開扉ボタンを備えている場合、ユーザーによる開扉ボタンに対する操作入力を無効にすることで、開閉体７，８を閉状態に維持することができる。操作入力を無効にする方法としては、開扉ボタン等の操作部材自体の動作を停止させること、操作部材に対する操作入力を検出してもその操作入力を無効とすることが含まれる。開閉体７，８を開く操作入力を無効にする手順は、その他の維持する手順と合わせて実行されてもよい。
【００６５】
維持する手順において、開閉体７，８を開く操作入力を無効にすることで開閉体７，８を閉状態に維持する場合、表示手順において、当該操作入力を有効にすることの禁止を表示することが望ましい。例えば、「防水装置１−１を取り外すときまで開閉体７，８を開く操作入力を有効にしてはならない」旨を記載した表示板２３を表示するようにしてもよい。
【００６６】
［実施形態の第３変形例］
実施形態の第３変形例について説明する。維持する手順において、開閉体７，８の移動を機械的にロックすることで開閉体７，８を閉状態に維持するようにしてもよい。例えば、自動ドア６が、開閉体７，８の開閉方向の移動を規制する鍵等の機械的なロック機構を備えるものである場合、当該ロック機構を作動させることにより、開閉体７，８を閉状態に維持することが可能である。また、駆動部９の動作を機械的にロックするロック機構がある場合、当該ロック機構を作動させることにより、開閉体７，８を閉状態に維持することもできる。なお、開閉体７，８の移動を機械的にロックする手順は、電源をオフにする手順、感知センサ１０を無効にする手順、開閉体７，８を開く操作入力を無効にする手順の少なくとも１つと合わせて実行されてもよい。
【００６７】
維持する手順において、開閉体７，８の移動を機械的にロックすることで開閉体７，８を閉状態に維持する場合、表示手順において、当該機械的なロックを解除することの禁止を表示することが望ましい。例えば、「防水装置１−１を取り外すときまで開閉体７，８のロックを解除してはならない」旨を記載した表示板２３を表示するようにしてもよい。
【００６８】
［実施形態の第４変形例］
実施形態の第４変形例について説明する。「自動的に開閉する」開閉体ではない所謂手動による開閉体（特に、全閉鎖時において人の力のみによる開放移動の開閉体）についても意識的または無意識的に開放されると困るので、全閉鎖状態を維持する必要がある。所謂手動による開閉体７，８に対する維持する手順は、開閉体７，８を全閉鎖状態にして、開閉体７，８を駆体等に対して鍵により施錠したり、釘等の固定具で固定したりする手順を含むことが好ましい。また、表示手順は、「鍵を開錠したり固定具を外したりしてはならない」旨を表示することが好ましい。
【００６９】
［実施形態の第５変形例］
（確認手順）
上記実施形態および各変形例の防水装置の設置方法において、更に、自動ドア６において自動的に開閉体７，８を開く機能が無効化されているか否かを確認する手順が含まれてもよい。すなわち、電源部１２の電源スイッチをオフした場合には、その後に、開閉体７，８の感知領域に入っても開閉体７，８が開かないことを確認することが好ましい。また、感知センサ１０を無効にした場合、その後に、感知センサ１０の感知領域にユーザーが入っても開閉体７，８が開かないことを確認することが好ましい。また、開閉体７，８を開く操作入力を無効にした場合、その後に、開扉ボタンを押してみるなどして、開閉体７，８が開かないことを確認することが好ましい。また、開閉体７，８の移動を機械的にロックした場合、その後に感知センサ１０の感知領域にユーザーが入っても開閉体７，８が開かないことを確認することが好ましい。
【００７０】
また、防水シート２１に、維持する手順や確認手順の実行を促す表示がなされていてもよい。例えば、防水シート２１に「防水シートを設置する際には自動ドアの電源を切ってください」、「自動ドアの電源が切られているか確認して下さい」等のメッセージが記載されてもよい。
【００７１】
［実施形態の第６変形例］
上記実施形態および各変形例において、電源再投入等の禁止を表示するものは、表示板２３には限定されない。例えば、シール、ラベル、その他の適当な方法によって電源再投入等の禁止を表示することができる。
【００７２】
［実施形態の第７変形例］
上記実施形態および各変形例の適用対象は、上記実施形態で例示した構成には限定されない。例えば、自動ドア６は、片開きタイプのものであってもよい。また、自動ドア６の開閉の態様は、上記実施形態で例示したものには限定されない。例えば、開閉体７，８は、スライド式のものには限定されず、開き戸や折れ戸等であってもよい。開閉体７，８が屋内側へ向けて開くものである場合、水圧に抗して開閉体７，８を閉状態に維持できるように、維持する手順において開閉体７，８の屋内側への移動を機械的にロックすることが好ましい。
【００７３】
なお、上記実施形態および各変形例において、「自動的に開閉する」とは、人の力によらずにモータ等の駆動源の駆動力、開閉体自体の自重やバネ等の弾性力等によって開閉体７，８が開閉方向（幅方向や上下方向等）に移動して開口部２を開閉することが典型例であるが、この例のみならず、開閉動作開始時において若干の人の力は要求されるものの、この後は人の力によらずに、または人の力のみでは開閉することができない重量の開閉体ではあるが若干の力を与え続けることで開閉できるような場合をも含むものである。具体例としては、全閉鎖状態の引戸を若干開方向に人の力を与えることで巻取りバネ等の弾性力やリニアモータ等の駆動力で引戸を開放方向に移動させる構成である。
【００７４】
なお、本発明においては、止水性能の担保や場合によっては開閉体７，８に防水シート２１を一部固定させる必要性等の理由で、シート設置段階やそれ以降の止水を行う段階において系兵隊７，８が実質的に全閉鎖状態になっている必要がある。このため、「自動的に開閉する」のが「開閉体７，８が全閉鎖状態または実質的には全閉鎖状態とみなせる略全閉鎖状態において開放方向に移動する場合」が特に重要である。ある程度の開放状態、例えば半開状態における自動開放や閉鎖方向への自動閉鎖についてはあまり重要な要素ではなく、これらの場合には開閉が自動であってもそうではなくて所謂手動開閉であってもよい。
【００７５】
上記の実施形態および各変形例に開示された内容は、適宜組み合わせて実行することができる。
【符号の説明】
【００７６】
１−１  防水装置
１  構造物
２  開口部
６  自動ドア
７  第一開閉体
８  第二開閉体
１０  感知センサ
２１  防水シート
２３  表示板
２５  保持部材
【図１】
2015040383.tif 000003
【図２】
2015040383.tif 000004
【図３】
2015040383.tif 000005
【図４】
2015040383.tif 000006
【図５】
2015040383.tif 000007
【図６】
2015040383.tif 000008
【図７】
2015040383.tif 000009